(57)【要約】      （修正有）【課題】入力映像信号の水平と垂直同期信号を複合した複合同期信号によって、入力映像信号の有無を判定する。【解決手段】入力端子１から入力した映像信号の複合同期信号のエッジ数を、入力信号カウンタ部３で期間設定部２で設定した期間Ｔ1カウントし、カウンタ値Ｘを出力する。範囲設定部５で設定した期間Ｔ1における水平同期信号の計算値に基づく値Ａ及び複合同期信号の計算値と弱電界に起因するノイズ成分を考慮した値Ｂと、カウンタ値Ｘとをカウンタ値比較処理部４で、Ａ≦Ｘ≦ＢであればカウンタＹ1、それ以外であればカウンタＹ2でカウントさせる。アップダウンカウンタ部８において上限設定部７で設定した上限値ＣにＹ1がなればアップダウンカウンタをアップし、上限値ＤにＹ2がなればアップダウンカウンタをダウンさせ、アップダウンカウンタ値によって信号有無反対部１０で判定する。【選択図】図１
2006135380.tif 000002
【特許請求の範囲】
【請求項１】
入力映像信号中の水平同期信号の所定期間Ｔ1におけるエッジの立ち上がりまたは立ち下がりのエッジ数の計算値に基づく値Ａ、及び前記入力映像信号中の前記水平同期信号及び垂直同期信号を複合した複合同期信号の前記所定期間Ｔ1におけるエッジの立ち上がりまたは立ち下がりのエッジ数の計算値と弱電界に基づくノイズに起因するエッジ数の推定値とに基づく値Ｂをそれぞれ設定し、前記複合同期信号の前記所定期間Ｔ1におけるエッジの立ち上がりまたは立ち下がりのエッジ数Ｘをカウントし、前記複合同期信号のエッジ数Ｘが、Ａ≦Ｘ≦Ｂの条件時は信号有りとし、Ｘ＜ＡまたはＸ＞Ｂの条件時は信号無しと判定することを特徴とする映像信号判定方法。
【請求項２】
前記信号有りと判定する条件が連続する回数Ｙ1をカウントし、前記Ｙ1と予め設定した所定の値Ｃとを比較し、同数ならばアップダウンカウンタに対しアップ処理を行い、前記信号無しと判定する条件が連続する回数Ｙ2をカウントし、前記Ｙ2と予め設定した所定の値Ｄとを比較し、同数ならば前記アップダウンカウンタに対しダウン処理を行うことを特徴とする請求項１記載の映像信号判定方法。
【請求項３】
前記アップダウンカウンタのカウント値Ｚn（但し、ｎは自然数）と予め設定した所定の値Ｅ及び０とを比較し、前記アップダウンカウンタのカウンタ値Ｚi（但し、ｉはｉ＞ｎを満たす自然数）が再びＥまたは０となるまで、前記Ｚnの値に応じた判定を保持することを特徴とする請求項２記載の映像信号判定方法。
【請求項４】
入力映像信号中の水平同期信号及び垂直同期信号を複合した複合同期信号の所定期間Ｔ1におけるエッジの立ち上がりまたは立ち下がりのエッジ数Ｘをカウントする入力信号カウンタ手段と、
前記水平同期信号の前記所定期間Ｔ1におけるエッジの立ち上がりまたは立ち下がりのエッジ数の計算値に基づく値Ａ、及び前記水平同期信号及び前記垂直同期信号の前記所定期間Ｔ1におけるエッジの立ち上がりまたは立ち上がりのエッジ数それぞれの計算値と弱電界に基づくノイズに起因するエッジ数の推定値とに基づく値Ｂを設定し出力する範囲設定手段と、
前記入力信号カウンタ手段の出力Ｘと、前記範囲設定手段の出力値Ａ及びＢとを比較し、前記出力ＸがＡ以上Ｂ以下の範囲を満たす時信号有りと判断しカウントＹ1を出力し、前記出力ＸがＡ未満またはＢよりも大きい時信号無しと判断しカウントＹ2を出力するカウンタ値比較処理手段とを備えることを特徴とする映像信号判定装置。
【請求項５】
前記カウンタ値比較処理手段が出力するカウントＹ1が連続する回数の上限値Ｃ、及び前記カウンタ値比較処理手段が出力するカウントＹ2が連続する回数の上限値Ｄそれぞれを設定しＣ及びＤを出力する上限設定手段と、
前記カウンタ値比較処理手段が出力するカウントＹ1の値またはカウントＹ2の値それぞれが前記上限値ＣまたはＤと比較し、Ｙ1がＣと等しくなればアップダウンカウンタ手段のカウント値Ｚn（但し、ｎは自然数）をアップし、Ｙ2がＤと等しくなれば前記アップダウンカウンタ手段のカウント値Ｚnをダウンする信号を出力する比較手段をさらに備えることを特徴とする請求項４記載の映像信号判定装置。
【請求項６】
前記カウント値Ｚnの基準値Ｅを設定し出力するレベル基準値設定手段と、
前記カウント値Ｚnと前記基準値Ｅ及び０とを比較し、前記カウント値Ｚnに応じた信号有無を判定すると共に、前記カウント値Ｚi（但し、ｉはｉ＞ｎを満たす自然数）が再びＥまたは０の何れかの値となるまで前記カウント値Ｚnに応じた判定を維持する信号有無判定手段をさらに備えることを特徴とする請求項５記載の映像信号判定装置。
【発明の詳細な説明】
【技術分野】
【０００１】
本発明は映像信号の処理方法及び装置に係り、特に弱電界などのノイズの影響による正常な映像信号の判定における誤動作を減らすための映像信号判定方法及び装置に関するものである。
【背景技術】
【０００２】
一般に、ＮＴＳＣ放送方式におけるテレビの画面は２つのフィールド信号で一つのフレーム画面を形成し、この一つのフレームは５２５ラインの信号からなる。各フィールドの画面の同期を合わせるための垂直同期信号と、フレームを構成する各ライン信号の同期を合わせるための水平同期信号とが映像信号の一部を成している。
【０００３】
映像信号も記録／再生装置においてはこれらの同期信号を検出して、各種の信号処理ブロックで用いてる。その一例として、テレビ放送のチャンネルを切り換えた時に、切換後に入力される映像信号に同期信号が検出されないと、映像信号が存在しないと判定して、映像信号のないチャンネルでは同期信号が検出されない間のノイズ画面をブルーバック（ＢＬＵＥ  ＢＡＣＫ）画面や他の基準画面に代えることにより、画面上に現れるノイズによる視覚上の不便を改善している。
【０００４】
従来の技術による映像信号検出の判定方法は、映像信号の一フィールドや一フレーム期間中の同期信号数を数え、映像信号入力の有無を判断したり同期信号の周期を判断することで映像信号入力の有無を判断した。しかし、映像記録／再生装置には様々なノイズが存在し、これら弱電解ノイズやノイズの周波数の成分が類似した場合には、ノイズを同期信号として誤って判断することもあり得る。
【０００５】
従来、映像信号判定方法及び装置は、特許文献１に記載された同期信号判定方法を適用したものが知られている。上記特許文献１に開示されている映像信号判定方法は、映像信号記録／再生装置において、入力映像信号の中で水平同期信号の数をカウンティングするための区間Ｔ１、垂直同期信号の数をカウンティングするための区間Ｔ２、前記区間Ｔ１において検出される水平同期信号の数の最小値Ｎ１、最大値Ｎ２、前記区間Ｔ２において検出される垂直同期信号の数の最小値Ｍ１、及び最大値Ｍ２を設定するための段階と、前記区間Ｔ１において水平同期信号と判断されたパルスの数をカウンティングして第１カウンティング値とする段階と、前記区間Ｔ２で垂直同期信号と判断されたパルスの数をカウンティングして第２カウンティング値とするための段階及び前記第１カウンティング値が前記Ｎ１，Ｎ２の間の値に相当し、前記第２カウンティング値が前記Ｍ１，Ｍ２の間の値に相当する場合に正常な同期信号が検出されたと判断する段階と含む構成を有する。
【０００６】
また、上記特許文献１に開示されている映像信号判定装置は、映像信号記録／再生装置において、入力複合同期信号から垂直同期信号を分離するための垂直同期信号分離部、前記垂直同期信号分離部の出力で所定の第１設定区間の間に垂直同期信号の数をカウンティングして第１カウンティング値とするための第１カウント部、前記第１カウンティング値が所定の第１設定範囲に含まれる場合に第１検出信号を発生する第１比較器部、前記入力複合同期信号において所定の第２設定区間の間に水平同期信号の数をカウンティングして第２カウンティング値とするための第２カウント部、前記第２カウンティング値が所定の第２設定範囲に含まれた場合に第２検出信号を発生するための第２比較器部及び前記第１検出信号が同時に発生される場合に同期信号検出の判定信号を発生するための演算部とを含む構成を有する。
【特許文献１】特許第３０４３３０７号公報（段落番号０００７、同０００９及び図１、図２）
【発明の開示】
【発明が解決しようとする課題】
【０００７】
しかしながら上記の従来の構成で、入力映像信号の中の水平同期信号の数をカウンティングするカウンタ部と、垂直同期信号の数をカウンティングするカウンタ部とを備えるため、入力映像信号の中の水平同期信号と垂直同期信号に分離することが必須であるため、それぞれ専用の回路を備える必要があり、構成が複雑でコストが高くなるという課題を有していた。
【０００８】
本発明は上記従来の問題点を解決するもので、入力映像信号の中の水平同期信号と垂直同期信号とを複合した複合同期信号によって、入力映像信号の有無を判定する映像信号判定方法及び装置を提供することを目的とする。
【課題を解決するための手段】
【０００９】
この目的を達成するために本発明の映像信号判定方法は、入力映像信号中の水平同期信号の所定期間Ｔ1におけるエッジの立ち上がりまたは立ち下がりのエッジ数の計算値に基づく値Ａ、及び前記入力映像信号中の前記水平同期信号及び垂直同期信号を複合した複合同期信号の前記所定期間Ｔ1におけるエッジの立ち上がりまたは立ち下がりのエッジ数の計算値と弱電界に基づくノイズに起因するエッジ数の推定値とに基づく値Ｂをそれぞれ設定し、前記複合同期信号の前記所定期間Ｔ1におけるエッジの立ち上がりまたは立ち下がりのエッジ数Ｘをカウントし、前記複合同期信号のエッジ数Ｘが、Ａ≦Ｘ≦Ｂの条件時は信号有りとし、Ｘ＜ＡまたはＸ＞Ｂの条件時は信号無しと判定する構成である。
【００１０】
また、本発明の映像信号判定装置は、入力映像信号中の水平同期信号及び垂直同期信号を複合した複合同期信号の所定期間Ｔ1におけるエッジの立ち上がりまたは立ち下がりのエッジ数Ｘをカウントする入力信号カウンタ手段と、前記水平同期信号の前記所定期間Ｔ1におけるエッジの立ち上がりまたは立ち下がりのエッジ数の計算値に基づく値Ａ、及び前記水平同期信号及び前記垂直同期信号の前記所定期間Ｔ1におけるエッジの立ち上がりまたは立ち上がりのエッジ数それぞれの計算値と弱電界に基づくノイズに起因するエッジ数の推定値とに基づく値Ｂを設定し出力する範囲設定手段と、前記入力信号カウンタ手段の出力Ｘと、前記範囲設定手段の出力値Ａ及びＢとを比較し、前記出力ＸがＡ以上Ｂ以下の範囲を満たす時信号有りと判断しカウントＹ1を出力し、前記出力ＸがＡ未満またはＢよりも大きい時信号無しと判断しカウントＹ2を出力するカウンタ値比較処理手段とを備える。
【発明の効果】
【００１１】
本発明の構成によれば、複合同期信号を用いて入力映像信号の有無を判定することができるため、従来水平同期信号と垂直同期信号とを分離する構成に比べ簡略化でき、コストが低減できるという効果がある。
【発明を実施するための最良の形態】
【００１２】
請求項１及び請求項４に記載の発明は、入力映像信号の中で水平同期信号と垂直同期信号とを複合した複合同期信号を、一定期間内Ｔ1において前記複合同期信号の立ち上がりエッジまたは、立ち下がりエッジのカウントを行い、そのカウント値をＸとし、前記一定期間内Ｔ1における前記水平同期信号のエッジの計算値に基づく所定の値をＡとし、前記一定期間内Ｔ1における前記水平同期信号のエッジと前記垂直同期信号を加算したエッジの計算値と弱電界を考慮した実験値に基づく所定の値をＢとしたものであり、比較器においてＡ≦Ｘ≦Ｂは信号有り、Ｘ＜ＡまたはＸ＞Ｂは信号無しと判定する構成を要旨としたものであり、入力映像信号の中で水平同期信号と垂直同期信号を分離すること無く、複合同期信号のエッジをカウントを行い所定の値と比較を行うことにより、映像信号の有無判定を簡単な構成で正確に判定することができる。
【００１３】
請求項２及び請求項５に記載の発明は、前記信号有りと判定する条件が連続する回数Ｙ1をカウントし、前記Ｙ1と予め設定した所定の値Ｃとを比較し、同数ならばアップダウンカウンタに対しアップ処理を行い、前記信号無しと判定する条件が連続する回数Ｙ2をカウントし、前記Ｙ2と予め設定した所定の値Ｄとを比較し、同数ならば前記アップダウンカウンタに対しダウン処理を行う構成を要旨としたものであり、上述の効果に加え、ノイズに対して誤動作を発生せずに映像信号の有無を判定することができる。
【００１４】
請求項３及び請求項６に記載の発明は、前記アップダウンカウンタのカウント値Ｚn（但し、ｎは自然数）と予め設定した所定の値Ｅ及び０とを比較し、前記アップダウンカウンタのカウンタ値Ｚi（但し、ｉはｉ＞ｎを満たす自然数）が再びＥまたは０となるまで、前記Ｚnの値に応じた判定を保持する構成を要旨としたものであり、ヒステリヒス回路を生じノイズに対して誤動作を発生せずに映像信号の有無を判定することができるという作用を有する。
【００１５】
以下、本発明の映像信号判定装置の実施形態について、図１及び図２を用いて説明する。図１は、本発明の映像信号判定装置における好ましい実施形態の構成を示すブロック図、図２は同実施形態における流れ図である。図１おいて、１は入力端子、２は期間設定部、３は入力信号カウンタ部、４はカウンタ値比較処理部、５は範囲設定部、６は比較部、７は上限設定部、８はアップダウンカウンタ部、９はレベル基準値設定部、１０は信号有無判定部、１１は出力端子である。
【００１６】
図１の各要素相互の働きについて説明する。入力端子１に水平同期信号と垂直同期信号とを複合した複合同期信号を入力する。入力した複合同期信号のエッジ（立ち上がりまたは立ち下がりの何れか）を、期間設定部２で設定した期間（Ｔ1）カウントする。入力信号カウンタ部３による期間ｔのカウンタ値をＸ（ｔ）とすると、カウンタ値比較処理部４では、範囲設定部５で設定した所定の範囲Ａ及びＢとＸ（ｔ）とを比較し、連続してＸ（ｔ）がＡ以上Ｂ以下の範囲の数をカウントＹ1として数え、それ以外（Ｘ（ｔ）がＡ未満またはＢよりも大きい）の範囲が連続する数をカウントＹ2として数え、Ａ以上Ｂ以下の範囲とそれ以外の範囲とにまたがると、カウントＹ1及びカウントＹ2それぞれをリセットする。
【００１７】
このようにして得られたＹ1及びＹ2を、それぞれ上限設定部７で設定したＹ1の上限値Ｃ及びＹ2の上限値Ｄを比較部６で比較し、それぞれのカウンタＹ1またはＹ2が上限値となると、アップダウンカウンタ部８に信号を出力する。Ｘ（ｔ）がＡ以上Ｂ以下の範囲であればアップダウンカウンタ部８でアップダウンカウンタＺnに１を加え、Ｘ（ｔ）がＡ未満またはＢより大きい場合にはアップダウンカウンタＺnから１を引く。
【００１８】
アップダウンカウンタ部８で得られたアップダウンカウンタＺnの値は、レベル基準値設定部９で設定される最大値Ｅと等しい場合にはＴ1の期間の信号をハイレベルとして、０と等しい場合にはローレベルとして、０より大きくＥ未満の場合は期間Ｔ1の前のＴ1の状態を保持する信号有無判定を信号有無判定部１０で行い、それぞれの信号を出力端子１１から出力する。なお、アップダウンカウンタＺnは、Ｘ（ｔ）がＡ以上Ｂ以下の条件が連続（換言すると、Ｙ1＝Ｃが連続）して続いたとしても最大値はＥに設定され、逆にＸ（ｔ）がＡ未満またはＢ以上の条件が連続（換言すると、Ｙ2＝Ｄが連続）して続いたとしても０に設定する。
【００１９】
以上説明した本実施形態の映像信号判定装置における各処理の流れを、図２を参照して説明する。なお、図２に示した流れ図は、本実施例における原理をシリーズ的に示し説明するものであり、図１に例えばシフトレジスタを備えることによりＸ（ｔ）のループは全体に及ばずに済ませることが可能で、処理速度を向上させることができる。
【００２０】
先ず、Ｓ２０１で映像信号判定期間Ｔ1を設定する。入力端子１から入力する映像信号の内、範囲設定部５で設定するＴ1間で水平同期信号の立ち上がりまたは立ち下がりエッジ数Ａ、水平同期信号及び垂直同期信号の立ち上がりまたは立ち下がりエッジ数と弱電界に起因するノイズ成分の立ち上がりまたは立ち下がりエッジの推定数とを加算したＢ、上限設定部７で設定するエッジ数Ｘ（ｔ）がＡ以上Ｂ以下の条件が連続するカウント値Ｙ1の上限値Ｃ、エッジ数Ｘ（ｔ）がＡ未満またはＢより大きい条件が連続するカウント値Ｙ2の上限値Ｄ、及びレベル基準値設定部９で設定するアップダウンカウンタＺnの上限値Ｅを、Ｓ２０２で設定する。入力端子１から入力される映像信号の複合同期信号のエッジ数Ｘ（ｔ）を入力信号カウンタ部３でカウントする（Ｓ２０３）。
【００２１】
カウンタ値比較処理部４において、Ｓ２０３でカウントしたＸ（ｔ）が、Ｓ２０２で設定したＡ以上Ｂ以下の条件か、それ以外の条件かをＳ２０４で比較し、Ｘ（ｔ）がＡ以上Ｂ以下の条件の場合には、Ｓ２０５で当該条件が連続する限りＳ２０６でカウンタＹ1に１を加算し、Ｓ２０２で設定したＣになると（Ｓ２０８）、Ｓ２０９でアップダウンカウンタ部８においてアップダウンカウンタＺnに１を加算する。
【００２２】
一方、Ｓ２０４においてカウンタ値比較処理部４でエッジ数Ｘ（ｔ）がＳ２０２で設定したＡ未満またはＢ以上の条件が連続する（Ｓ２１０）と、Ｓ２１１でカウント値Ｙ2に１を加え、Ｓ２０２で設定したＤになると（Ｓ２１３）、Ｓ２１４でアップダウンカウンタ部８においてアップダウンカウンタＺnから１を減算する。
【００２３】
なお、上述の流れ図において、Ｓ２０４でＸ（ｔ）がＡ以上Ｂ以下の条件とＸ（ｔ）がＡ未満またはＢ以上の条件とが変更されたときには、Ｓ２０７及びＳ２１２に示すようにＹ1及びＹ2をリセットする。また、Ｓ２０８においてＹ1＝Ｃを満足しない、またはＳ２１３においてＹ2＝Ｄを満足しない場合には、Ｓ２０４に戻りエッジ数Ｘ（ｔ）をＡ及びＢとの大小関係の比較、及び各条件に応じたカウントを繰り返す。
【００２４】
入力信号カウンタ部３で期間Ｔ1だけカウントすると、アップダウンカウンタＺnがＳ２０２で設定したＥに等しい（例えば、Ｚnの初期値を０とすると、Ｙ1＝Ｃの条件をＥ回以上満足する）場合には信号有無判定部１０はハイレベル（信号有り）と判定し、Ｚnが０に等しい（例えば、Ｚnの初期値をＥ−１とすると、Ｙ2＝Ｄの条件がＥ回以上満足する）場合には信号有無判定部１０はローレベル（信号無し）と判定し、その他の場合にはＳ２０１で設定した期間Ｔ1の直前の期間Ｔ1における状態（ハイレベルであればハイレベルの状態、ローレベルであればローレベルの状態）を維持する。
【００２５】
以上のように、本実施形態における映像信号判定では、水平同期信号と垂直同期信号とを複合した複合同期信号を適用するため、映像信号から水平同期信号と垂直同期信号とを分離し、分離した水平同期信号及び垂直同期信号をそれぞれ独立にカウントするという従来の構成に比べると簡単であり、簡単であるため装置の回路等を削減することができ、しかも弱電界に起因するノイズ成分が営巣信号判定に与える影響も抑制することができる。
【００２６】
次に、上述の実施形態を適用した一実施例を説明する。期間設定部２で設定するＴ1を２ｍｓｅｃとし、ＮＴＳＣ方式及びＰＡＬ方式の何れも水平同期信号は６４μｓｅｃであるため、エッジの数は３１となるが、期間Ｔ1の間でエッジが２程度抜かれることを考慮し、３１−２で範囲設定部５で設定する下限値Ａを２９とした。また、上述と同様に水平同期信号に基づくエッジ数３１、垂直同期信号によるエッジ数はＮＴＳＣ方式では７でＰＡＬ方式では９であるため両方式を考慮して９、弱電界に基づくノイズによるエッジ数を２０と想定し、３１＋９＋２０で範囲設定部５で設定する上限値Ｂを６０に設定した。また、上限設定部７で設定するＣ及びＤは、連続性を判断するためだけであるため最低値の２を設定した。さらにレベル基準値設定部９で設定する基準値Ｅは、映像信号の有無の間を補間するヒステリシスの保持を設定する値であり、７とした。
【００２７】
本実施例では、範囲設定部５の下限値の設定に際し水平同期信号のエッジにおける欠落数も考慮に入れ、Ｔ1（２ｍｓｅｃ）の期間を当該水平同期信号から割り出したエッジ数（３１）から所定数（２）だけ減算し下限値Ａを設定したことにより、実際の映像信号においてしばしば発生する水平同期信号レベル近辺のノイズに起因するエッジ数の減少を加味しているため、現実的なエッジ数とすることができる。また、範囲設定部５の上限値の設定に際し、水平同期信号のエッジ数はＴ1（２ｍｓｅｃ）の期間から割り出したエッジ数（３１）を採用し、垂直同期信号のエッジ数は映像方式の内エッジ数が多い方式（本実施例ではＰＡＬ方式）に基づくエッジ数（９）を採用し、しかも実映像信号ではたびたび見受けられる弱電界に基づくノイズ成分が及ぼすエッジ数の推定値（本実施例では２０）も加味して上限値Ｂを設定したことにより、映像方式及び弱電界による所定範囲のノイズも含ませてエッジ数Ｘ（ｔ）としているため、現実的なエッジ数とすることができる。
【００２８】
また、本実施例では、カウントＹ1はエッジ数Ｘ（ｔ）が上述のＡ以上Ｂ以下の範囲を連続で満たすカウント累積値、及びカウントＹ2はエッジ数Ｘ（ｔ）がＡ未満またはＢよりも大きい条件を連続で満たすカウント累積値、しかもエッジ数Ｘ（ｔ）の条件が変化するとカウントＹ1及びＹ2の両方ともリセットする構成、すなわちカウントに連続性を加味しているため、条件変化の際に発生する中断も吸収すると共に、連続性を有する条件のみをカウントするため、誤動作を抑制することができる。
【００２９】
上限設定部７にて設定するＹ1の上限値Ｃ及びＹ2の上限値Ｄは、上述のようにＸ（ｔ）の条件が入れ替わる際にはそれぞれのカウントＹ1及びＹ2双方ともリセットし、それぞれの条件で連続するカウント値の上限値であるため、本実施例のように最小の数（２）と設定したとしても、連続性は十分に保証され映像信号の判定を高精度に行うことができる。
【００３０】
さらに、レベル基準値設定部９で設定する基準値Ｅ（本実施例では７）及び０と、アップダウンカウンタ値Ｚnとを比較することで、０に等しければ映像信号がないと判断し、Ｅに等しければ映像信号があると判断し、０よりも大きくＥ未満であれば当該Ｔ1の期間の直前の信号有無の状態とすることで、弱電解ノイズや、同期信号に似たノイズに対しても誤動作を発生せずに入力映像信号の有無を高効率に判定することができる。
【産業上の利用可能性】
【００３１】
本発明の映像信号判定は、現在普及しだしているＤＶＤレコーダを始め、映像信号をデジタル記録する分野に広く応用することができる。
【図面の簡単な説明】
【００３２】
【図１】本発明の一実施形態による映像信号判定装置の構成図
【図２】同実施形態による映像信号判定方法の流れ図
【符号の説明】
【００３３】
１  入力端子
２  入力信号カウンタ部
３  期間設定部
４  カウンタ値比較処理部部
５  範囲設定部
６  比較部
７  上限設定部
８  アップダウンカウンタ部
９  レベル基準値設定部
１０  信号有無判定部
１１  出力端子
【図１】
2006135380.tif 000003
【図２】
2006135380.tif 000004